(57)【要約】【課題】マクロセルに接続中の移動局の速度が低くなる際に生じる回線遮断確率及び制御負荷を低減させることが可能なセルラシステムを得る。【解決手段】移動局の速度に応じて、異周波数切替えで使用する判定閾値の変更を行うようにする（ステップ１５３）。これにより、マイクロセルに接続中の移動局の移動速度が高くなると、マクロセルへの異周波数切替えの発生確率が高くなるため、移動局がマイクロセルのエリア外に出る事象の確率が低くなり、回線遮断率が低減することができる。また、複数のマイクロセルでシステムを構成している場合、マイクロセルに接続中の移動局の速度が高くなると、マクロセルに切替える確率が高くなるため、マイクロセル間で頻繁にハンドオーバを行うことが少なく、制御負荷が減少することになる。【選択図】　図４
2004048528.tif 000002
【特許請求の範囲】
【請求項１】
移動局と、第一及び第二の基地局と、基地局制御装置とを含み、
前記第一及び第二の基地局の各々は前記移動局と第一及び第二の周波数を用いてそれぞれ回線を設定して通信を行い、
前記移動局は、前記第一の基地局と回線を設定して通信を行っている間に、前記第一の周波数の第一の受信品質及び前記第二の周波数の第二の受信品質を測定し、
前記第二の受信品質と前記第一の受信品質との差が所定の閾値以上である時に前記第二の基地局に回線を切替えて通信を行うようにしたセルラシステムの異周波数切替え方法であって、
前記移動局の移動に応じて前記所定の閾値を変えるよう制御する制御ステップを含むことを特徴とする異周波数切替え方法。
【請求項２】
移動局と、第一及び第二の基地局と、基地局制御装置とを含み、
前記第一及び第二の基地局の各々は前記移動局と第一及び第二の周波数を用いてそれぞれ回線を設定して通信を行い、
前記移動局は、前記第一の基地局と回線を設定して通信を行っている間に、前記第一の周波数の第一の受信品質を測定し、前記第一の受信品質に応じて前記第二の周波数の第二の受信品質を測定し、
前記第二の受信品質に応じて前記第二の基地局に回線を切替えて通信を行うようにしたセルラシステムの異周波数切替え方法であって、
前記移動局の移動に応じて前記第二の受信品質の測定条件を変えるよう制御する制御ステップを含むことを特徴とする異周波数切替え方法。
【請求項３】
前記制御ステップは、前記第一の受信品質が所定の閾値未満であるときに、前記第二の受信品質の測定を行うステップと、前記所定の閾値を前記移動局の移動に応じて変更するステップとを有することを特徴とする請求項２記載の異周波数切替え方法。
【請求項４】
前記第一及び第二の基地局は止まり木チャネルを送信し、前記受信品質はこの止まり木チャネルの受信品質であることを特徴とする請求項１〜３いずれか記載の異周波数切替え方法。
【請求項５】
前記第一の基地局において、送信データを時間的に圧縮して送信し、データの送信を中断する空き時間を設けるステップと、
前記移動局において、前記空き時間に第二の受信品質を測定するステップを含むことを特徴とする請求項１〜４いずれか記載の異周波数切替え方法。
【請求項６】
前記制御ステップは、前記基地局制御装置か前記移動局のいずれかにおいて実行されることを特徴とする請求項１〜５いずれか記載の異周波数切替え方法。
【請求項７】
移動局と、第一及び第二の基地局と、基地局制御装置とを含み、
前記第一及び第二の基地局の各々は前記移動局と第一及び第二の周波数を用いてそれぞれ回線を設定して通信を行い、
前記移動局は、前記第一の基地局と回線を設定して通信を行っている間に、前記第一の周波数の第一の受信品質及び前記第二の周波数の第二の受信品質を測定し、
前記第二の受信品質と前記第一の受信品質との差が所定の閾値以上である時に前記第二の基地局に回線を切替えて通信を行うようにしたセルラシステムであって、
前記移動局の移動に応じて前記所定の閾値を変えるよう制御する制御手段を含むことを特徴とするセルラシステム。
【請求項８】
移動局と、第一及び第二の基地局と、基地局制御装置とを含み、
前記第一及び第二の基地局の各々は前記移動局と第一及び第二の周波数を用いてそれぞれ回線を設定して通信を行い、
前記移動局は、前記第一の基地局と回線を設定して通信を行っている間に、前記第一の周波数の第一の受信品質を測定し、前記第一の受信品質に応じて前記第二の周波数の第二の受信品質を測定し、
前記第二の受信品質に応じて前記第二の基地局に回線を切替えて通信を行うようにしたセルラシステムであつて、
前記移動局の移動に応じて前記第二の受信品質の測定条件を変えるよう制御する制御手段を含むことを特徴とするセルラシステム。
【請求項９】
前記制御手段は、前記第一の受信品質が所定の閾値未満であるときに、前記第二の受信品質の測定を行う手段と、前記所定の閾値を前記移動局の移動に応じて変更する手段とを有することを特徴とする請求項８記載のセルラシステム。
【請求項１０】
前記第一及び第二の基地局は、止まり木チャネルを送信する手段を有し、前記受信品質は止まり木チャネルの受信品質であることを特徴とする請求項７〜９いずれか記載のセルラシステム。
【請求項１１】
前記第一の基地局は、送信データを時間的に圧縮して送信し、データの送信を中断する空き時間を設ける手段を有し、前記移動局は、前記空き時間に第二の受信品質を測定する手段を有することを特徴とする請求項７〜１０いずれか記載のセルラシステム。
【請求項１２】
前記制御手段は、前記基地局制御装置か前記移動局のいずれかに設けられいることを特徴とする請求項７〜１１いずれか記載のセルラシステム。
【請求項１３】
移動局と、第一及び第二の基地局と、基地局制御装置とを含み、
前記第一及び第二の基地局の各々は前記移動局と第一及び第二の周波数を用いてそれぞれ回線を設定して通信を行い、
前記移動局は、前記第一の基地局と回線を設定して通信を行っている間に、前記第一の周波数の第一の受信品質及び前記第二の周波数の第二の受信品質を測定し、
前記第二の受信品質と前記第一の受信品質との差が所定の閾値以上である時に前記第二の基地局に回線を切替えて通信を行うようにしたセルラシステムにおける基地局制御装置であって、
前記移動局の移動に応じて前記所定の閾値を変えるよう制御する制御手段を含むことを特徴とする基地局制御装置。
【請求項１４】
移動局と、第一及び第二の基地局と、基地局制御装置とを含み、
前記第一及び第二の基地局の各々は前記移動局と第一及び第二の周波数を用いてそれぞれ回線を設定して通信を行い、
前記移動局は、前記第一の基地局と回線を設定して通信を行っている間に、前記第一の周波数の第一の受信品質を測定し、前記第一の受信品質に応じて前記第二の周波数の第二の受信品質を測定し、
前記第二の受信品質に応じて前記第二の基地局に回線を切替えて通信を行うようにしたセルラシステムにおける基地局制御装置であつて、
前記移動局の移動に応じて前記第二の受信品質の測定条件を変えるよう制御する制御手段を含むことを特徴とする基地局制御装置。
【請求項１５】
前記制御手段は、前記第一の受信品質が所定の閾値未満であるときに、前記移動局に対して前記第二の受信品質の測定を行うよう指示する手段と、前記所定の閾値を前記移動局の移動に応じて変更する手段とを有することを特徴とする請求項１４記載の基地局制御装置。
【請求項１６】
移動局と、第一及び第二の基地局と、基地局制御装置とを含み、
前記第一及び第二の基地局の各々は前記移動局と第一及び第二の周波数を用いてそれぞれ回線を設定して通信を行い、
前記移動局は、前記第一の基地局と回線を設定して通信を行っている間に、前記第一の周波数の第一の受信品質及び前記第二の周波数の第二の受信品質を測定し、
前記第二の受信品質と前記第一の受信品質との差が所定の閾値以上である時に前記第二の基地局に回線を切替えて通信を行うようにしたセルラシステムにおける移動局であって、
移動に応じて前記所定の閾値を変えるよう制御する制御手段を含むことを特徴とする移動局。
【請求項１７】
移動局と、第一及び第二の基地局と、基地局制御装置とを含み、
前記第一及び第二の基地局の各々は前記移動局と第一及び第二の周波数を用いてそれぞれ回線を設定して通信を行い、
前記移動局は、前記第一の基地局と回線を設定して通信を行っている間に、前記第一の周波数の第一の受信品質を測定し、前記第一の受信品質に応じて前記第二の周波数の第二の受信品質を測定し、
前記第二の受信品質に応じて前記第二の基地局に回線を切替えて通信を行うようにしたセルラシステムにおける移動局であつて、
移動に応じて前記第二の受信品質の測定条件を変えるよう制御する制御手段を含むことを特徴とする移動局。
【請求項１８】
前記制御手段は、前記第一の受信品質が所定の閾値未満であるときに、前記第二の受信品質の測定を行う手段と、前記所定の閾値を前記移動に応じて変更する手段とを有することを特徴とする請求項１７記載の移動局。
【発明の詳細な説明】
【０００１】
【発明の属する技術分野】
本発明はセルラシステムの異周波数切替え方法及びセルラシステム並びにそれに用いる基地局制御装置及び移動局に関し、特に符号分割多重接続方式を用いたセルラシステムの異周波数切替え方式の改良に関するものである。
【０００２】
【従来の技術】
符号分割多重接続方式を用いたセルラシステムにおいては、回線容量を高めるために、送信電力制御が行われる。通常、この送信電力制御は、次式で示される信号電力対干渉電力比（ＳＩＲ）の値を用いて行われる。
【０００３】
ＳＩＲ　＝Ｓ／（Ｉ＋Ｎ）　　　……（１）
ここで、Ｓは希望波信号電力、Ｉは帯域当たりの干渉電力、Ｎは帯域当たりの雑音電力を示す。
【０００４】
送信電力制御は、受信側で、式（１）における受信ＳＩＲを測定し、その測定結果が、目標ＳＩＲより小さければ、送信側に対して送信電力の増加を指示し、大きければ、送信側に対して送信電力の減少を指示することで、回線品質を一定とする制御が可能となり、回線容量を高めることができる。
【０００５】
また、符号分割多重接続方式を用いたセルラシステムにおいては、移動局が複数の基地局と同時に接続するソフトハンドオーバ技術が重要となる。ソフトハンドオーバ技術とは、移動局が、自セル、及び隣接セルの基地局から各々送信される止まり木チャネルの受信電力を周期的に観測し、これら止まり木チャネルの受信電力の内で最大値を基準にし、この最大値からある閾値（以後、この閾値をアクティブセット閾値と記す）以内にある止まり木チャネルを送信した基地局と回線を接続することで、複数の基地局と同時に回線を接続する技術である。
【０００６】
移動局が基地局近傍に位置する場合には、移動局と近傍に位置する基地局との伝搬損失は隣接するセルの基地局に対する伝搬損失より十分小さいため、移動局の近傍に位置する基地局から送信される止まり木チャネルの受信電力が最大になり、この受信電力と、隣接するセル内の基地局からの止まり木チャネルの受信電力との差はアクティブセット閾値より大きくなる。従って、回線の接続は、移動局の近傍に位置する基地局のみとなる。
【０００７】
一方、移動局がセル端近傍に位置する場合には、自セル及び隣接セルの基地局に対する伝搬損失はほぼ同等となるため、移動局が自セル及び隣接セルの基地局から受信する止まり木チャネル電力の差は小さくなる。従って、アクティブセット閾値内に複数の止まり木チャネルを受信することとなり、結果として複数の基地局と同時に回線が接続される。以上に示したソフトハンドオーバ技術を用いることにより、移動局が、自セルと隣接するセル間を移動中の場合においても、回線の無瞬断化が達成される。
【０００８】
また、符号分割多重接続方式を用いたセルラシステムにおいて、複数のキャリア周波数が割り当てられている場合、キャリアを切替えるための異周波数切替え技術が重要となる。この異周波数切替え技術は、通常、周波数利用効率を向上させるために、現在使用中のキャリア周波数における回線の品質の劣化による回線遮断現象の回避を目的として行われる。
【０００９】
以下に、異周波数切替え技術に関して、システム構成の観点から説明を行う。図８には、同一サービスエリア内で２つのキャリア周波数を使用した場合におけるセルラシステムの構成図を示す。また、図９には、上り回線及び下り回線におけるキャリア周波数配置図を示す。図８において、移動局３０は基地局１０、１１、２０、２１と回線を接続することができる。移動局３０が基地局１０、１１との回線で使用するキャリア周波数は、図９において、上り回線及び下り回線で、キャリア周波数１０１、キャリア周波数１０３を各々使用するものとする。
【００１０】
同様に、図８において、移動局３０が基地局２０、２１との回線で使用するキャリア周波数は、図９において、上り回線及び下り回線で、キャリア周波数１０２、キャリア周波数１０４を各々使用するものとする。また、移動局３０が通信中に基地局１０、１１と接続、または基地局２０、２１と接続するかを判断する制御、および接続を行う異周波数切替えの制御は、移動局３０あるいは基地局制御装置６０において制御される。なお、図８において、４０は止まり木チャネルを示し、５０、５１は下り回線個別チャネル、７０、７１は上り回線個別チャネルをそれぞれ示している。
【００１１】
以下に、異周波数切替え制御方法に関する従来方式として、止まり木チャネルの受信品質に応じた異周波数切替え制御方法について説明を行う。図８において、初期状態として、移動局３０は基地局１０と回線を接続しているものとする。この時、移動局３０が下り回線において、現在使用中のキャリア周波数は１０３、異周波数切替え先のキャリア周波数は１０４となる。一方、上り回線において、移動局３０が現在使用中のキャリア周波数は１０１、異周波数切替え先のキャリア周波数は１０２となる。
【００１２】
この時、移動局３０は、現在使用中のキャリア周波数の止まり木チャネルの受信品質Ｑ＿１と異周波数切替え先であるキャリア周波数１０４の止まり木チャネルの受信品質Ｑ＿２とを測定、比較し、異周波数切替え先のキャリア周波数の受信品質Ｑ＿２と現在使用中のキャリア周波数の止まり木チャネルの受信品質Ｑ＿１との差分が、次式の条件を満足した時点を契機として異周波数切替えを行う。
【００１３】
Ｑ＿２−Ｑ＿１＞Ｔｈ＿ＨＯ　　［ｄＢ］　　　　……（２）
ここで、異周波数切替えとは、使用するキャリア周波数の切替えを意味し、この場合、下り回線においてキャリア周波数１０３からキャリア周波数１０４に周波数を切替え、上り回線においてキャリア周波数１０１からキャリア周波数１０２に周波数を切替えることをいう。
【００１４】
式（２）において、Ｔｈ＿ＨＯ　は、異周波数切替え制御の判定閾値であり、Ｔｈ＿ＨＯ　は正の値を持つ。通常、式（２）において異周波数切替え制御の判定閾値Ｔｈ＿ＨＯ　が小さくなる程、回線遮断が生じる確率は小さくなるが、異周波数切替え制御の制御負荷が増加するため、最適な値を設定する。以上が、止まり木チャネルの受信品質に応じた異周波数切替え制御方法に関する説明である。
【００１５】
さて、通常、複数のキャリアを使用するセルラシステムにおいて、そのシステムの移動局は、低消費電力化の観点から１つの発振器のみを用いて、必要に応じて発振器の発振周波数を切替る方法を用いるのが一般的である。このような移動機の構成下で異周波数切替え先のキャリアの受信品質を測定する場合、発振器は１つであるため、移動局は異周波数切替え先のキャリアの受信品質を測定する時間中では、現在使用中のキャリアからのデータを受信することができない。したがって、システムにおいては、異周波数切替え先のキャリアの受信品質の測定時間分だけデータ空き時間を予め確保した状態で送信波形を作成しておく必要がある。
【００１６】
ここで、通信速度を一定とした場合においてデータ空き時間を作成するためには、作成する空き時間分のデータを圧縮する技術（データ圧縮技術）が必要となる。一般に、データ圧縮技術は、拡散率を下げる方法、または符号化されたデータの一部を送信しないことにより、符号化率を上げる方法によって、送信データを時間的に圧縮する。データ圧縮技術はデータ圧縮技術を用いない場合と比べて、受信における誤り訂正能力が劣化するため、周波数利用効率が減少する。従って、データの空き時間が通信時間に占める割合（以後、データ空き時間割合と記載）が高くなることは好ましくない。
【００１７】
以上のことから、異周波数測定の際には、異周波数切替えのタイミングを小さいデータ空き時間割合で精度よく判定することが望ましい。データ空き時間割合を減少させるために、従来の技術では、上記で述べた、止まり木チャネルの受信品質に応じた異周波数切替え制御方法に対して以下の改善策が施されている。
【００１８】
その改善策として、異周波数測定範囲の限定方法について説明する。図１０を参照すると、移動局３０において、下り回線において、現在使用中のキャリア周波数の止まり木チャネルの受信品質Ｑ＿１、および異周波数切替え先のキャリア周波数の止まり木チャネルの受信品質Ｑ＿２の時間波形を示す。
【００１９】
図１０において、異周波数測定時におけるデータ空き時間を減少させるために、移動局３０は、現在使用中のキャリアの止まり木チャネルの受信品質Ｑ＿１が次式
Ｑ＿１＜Ｔｈ＿Ｓｔａｒｔ　　　……（４）
を満足する時点ｔ１（あるいはｔ３）を契機として、異周波数測定を行い、その後、現在使用中のキャリアの止まり木チャネルの受信品質Ｑ＿１が、次式
Ｑ＿１＞Ｔｈ＿Ｅｎｄ　　　　……（５）
を満足する時点ｔ２を契機として、異周波数測定を停止するか、あるいは式（２）を満足した時点ｔ４を契機として、異周波数切替え制御を開始させると同時に、異周波数測定を停止させる。
【００２０】
式（４）及び式（５）における判定閾値Ｔｈ＿Ｓｔａｒｔ及びＴｈ＿Ｅｎｄは次式を満足するようなマージンをとるとよい。
【００２１】
Ｔｈ＿Ｅｎｄ−Ｔｈ＿Ｓｔａｒｔ＞０　［ｄＢ］　　　……（６）
この式（６）において、Ｔｈ＿ＥｎｄとＴｈ＿Ｓｔａｒｔとの差分が大きくなる程、マージンが増すことを意味する。以上の概念のもと、判定閾値Ｔｈ＿ＳｔａｒｔおよびＴｈ＿Ｅｎｄを用いて異周波数測定範囲の限定を行うことで、異周波数測定範囲の限定を行わない場合と比べてデータ空き時間割合を減少させることができる。
【００２２】
【発明が解決しようする課題】
以下に、図１１に示すセルラシステムについて考察する。図１１において、移動局３０は基地局１０、１１、２０と回線を接続することができる。移動局３０が、基地局１０、２０との回線で使用するキャリア周波数は、図９において、上り回線及び下り回線で、キャリア周波数１０１、キャリア周波数１０３を各々使用するものとする。同様に、図１１において、移動局３０が、基地局１１との回線で使用するキャリア周波数は、図９において、上り回線及び下り回線で、キャリア周波数１０２、キャリア周波数１０４を各々使用するものとする。
【００２３】
また、移動局３０が通信中に基地局１０、２０と接続するか、あるいは基地局１１と接続するかを判断する制御、および接続を行う異周波数切替え制御は、移動局３０、あるいは基地局制御装置６０において制御される。
【００２４】
基地局１０及び基地局２０は、各々マクロセル（セル８５）、マクロセル（セル８７）に属し、基地局１１はマイクロセル（セル８６）に属する。図１１に示すような、マクロセル内にマイクロセルが付加されたセルラシステムでは、主に、マクロセル内で、移動局が多数存在する局所的なエリアにマイクロセルを配置することで、トラヒックを分散させる効果が得られるために、有効なセル設計方法の１つと考えられる。
【００２５】
従来技術を用いた場合、式（２）では、現在使用中のキャリア周波数の止まり木チャネルの受信品質Ｑ＿１及び異周波数切替え先のキャリア周波数の止まり木チャネルの受信品質Ｑ＿２との相対値（Ｑ＿２−Ｑ＿１）に対して、閾値との比較を行っている。この場合、式（２）における判定閾値Ｔｈ＿ＨＯ　は、移動局の移動速度に無関係な一定値であるため、図１１に示すようなセルラシステムにおいては、以下の課題がある。
【００２６】
従来の技術における異周波数切替え方法では、マイクロセルに接続中の移動局の移動速度が高くなった場合、その移動局はマイクロセルのエリア外に出る確率が高くなるため、回線の受信品質が劣化する確率が高くなり、回線遮断が生じる確率が高くなる問題が生じる。また、複数のマイクロセルでセルラを構成し、これらマイクロセルのセルラを覆うようにマクロセルが存在する場合、マイクロセルに接続中の移動局の移動速度が高くなった場合、その移動局が回線を接続するマイクロセルの切替え頻度が高くなり、制御負荷が増加する問題が生じる。
【００２７】
以上のことから、従来の技術では、マイクロセルに接続中の移動局の速度が高くなる際に生じる回線遮断確率及び制御負荷を低減させることが課題となる。
【００２８】
また、従来の技術における異周波数切替え方法では、マクロセルに回線接続中の移動局の移動速度が低くなり、その時点における移動局がマイクロセルのエリア内ある場合、その移動局が回線接続中のマクロセルの基地局に対して送信する電力及びマクロセルの基地局がその移動局に対して送信する電力は、その移動局がマイクロセルに回線接続を切替えた場合と比較して大きくなる確率が高くなる。送信電力が大きくなれば、消費電力を増大させる問題が生じる。また、送信電力が大きくなれば、他セルに対する干渉電力を増加させるので、回線遮断率を増加させる問題が生じる。
【００２９】
よって、本発明の目的は、マクロセルに接続中の移動局の速度が低くなる際に生じる回線遮断確率及び消費電力を低減させることが可能なセルラシステムの異周波数切替え方法及びセルラシステム並びにそれに用いる基地局制御装置及び移動局を提供することである。
【００３０】
【課題を解決するための手段】
本発明による異周波数切替え方法は、移動局と、第一及び第二の基地局と、基地局制御装置とを含み、前記第一及び第二の基地局の各々は前記移動局と第一及び第二の周波数を用いてそれぞれ回線を設定して通信を行い、前記移動局は、前記第一の基地局と回線を設定して通信を行っている間に、前記第一の周波数の第一の受信品質及び前記第二の周波数の第二の受信品質を測定し、前記第二の受信品質と前記第一の受信品質との差が所定の閾値以上である時に前記第二の基地局に回線を切替えて通信を行うようにしたセルラシステムの異周波数切替え方法であって、前記移動局の移動に応じて前記所定の閾値を変えるよう制御する制御ステップを含むことを特徴とする。
【００３１】
本発明による他の異周波数切替え方法は、移動局と、第一及び第二の基地局と、基地局制御装置とを含み、前記第一及び第二の基地局の各々は前記移動局と第一及び第二の周波数を用いてそれぞれ回線を設定して通信を行い、前記移動局は、前記第一の基地局と回線を設定して通信を行っている間に、前記第一の周波数の第一の受信品質を測定し、前記第一の受信品質に応じて前記第二の周波数の第二の受信品質を測定し、前記第二の受信品質に応じて前記第二の基地局に回線を切替えて通信を行うようにしたセルラシステムの異周波数切替え方法であって、前記移動局の移動に応じて前記第二の受信品質の測定条件を変えるよう制御する制御ステップを含むことを特徴とする。
【００３２】
本発明によるセルラシステムは、移動局と、第一及び第二の基地局と、基地局制御装置とを含み、前記第一及び第二の基地局の各々は前記移動局と第一及び第二の周波数を用いてそれぞれ回線を設定して通信を行い、前記移動局は、前記第一の基地局と回線を設定して通信を行っている間に、前記第一の周波数の第一の受信品質及び前記第二の周波数の第二の受信品質を測定し、前記第二の受信品質と前記第一の受信品質との差が所定の閾値以上である時に前記第二の基地局に回線を切替えて通信を行うようにしたセルラシステムであって、前記移動局の移動に応じて前記所定の閾値を変えるよう制御する制御手段を含むことを特徴とする。
【００３３】
本発明による他のセルラシステムは、移動局と、第一及び第二の基地局と、基地局制御装置とを含み、前記第一及び第二の基地局の各々は前記移動局と第一及び第二の周波数を用いてそれぞれ回線を設定して通信を行い、前記移動局は、前記第一の基地局と回線を設定して通信を行っている間に、前記第一の周波数の第一の受信品質を測定し、前記第一の受信品質に応じて前記第二の周波数の第二の受信品質を測定し、前記第二の受信品質に応じて前記第二の基地局に回線を切替えて通信を行うようにしたセルラシステムであつて、前記移動局の移動に応じて前記第二の受信品質の測定条件を変えるよう制御する制御手段を含むことを特徴とする。
【００３４】
本発明による基地局制御装置は、移動局と、第一及び第二の基地局と、基地局制御装置とを含み、前記第一及び第二の基地局の各々は前記移動局と第一及び第二の周波数を用いてそれぞれ回線を設定して通信を行い、前記移動局は、前記第一の基地局と回線を設定して通信を行っている間に、前記第一の周波数の第一の受信品質及び前記第二の周波数の第二の受信品質を測定し、前記第二の受信品質と前記第一の受信品質との差が所定の閾値以上である時に前記第二の基地局に回線を切替えて通信を行うようにしたセルラシステムにおける基地局制御装置であって、前記移動局の移動に応じて前記所定の閾値を変えるよう制御する制御手段を含むことを特徴とする。
【００３５】
本発明による他の基地局制御装置は、移動局と、第一及び第二の基地局と、基地局制御装置とを含み、前記第一及び第二の基地局の各々は前記移動局と第一及び第二の周波数を用いてそれぞれ回線を設定して通信を行い、前記移動局は、前記第一の基地局と回線を設定して通信を行っている間に、前記第一の周波数の第一の受信品質を測定し、前記第一の受信品質に応じて前記第二の周波数の第二の受信品質を測定し、前記第二の受信品質に応じて前記第二の基地局に回線を切替えて通信を行うようにしたセルラシステムにおける基地局制御装置であつて、前記移動局の移動に応じて前記第二の受信品質の測定条件を変えるよう制御する制御手段を含むことを特徴とする。
【００３６】
本発明による移動局は、移動局と、第一及び第二の基地局と、基地局制御装置とを含み、前記第一及び第二の基地局の各々は前記移動局と第一及び第二の周波数を用いてそれぞれ回線を設定して通信を行い、前記移動局は、前記第一の基地局と回線を設定して通信を行っている間に、前記第一の周波数の第一の受信品質及び前記第二の周波数の第二の受信品質を測定し、前記第二の受信品質と前記第一の受信品質との差が所定の閾値以上である時に前記第二の基地局に回線を切替えて通信を行うようにしたセルラシステムにおける移動局であって、移動に応じて前記所定の閾値を変えるよう制御する制御手段を含むことを特徴とする。
【００３７】
本発明による他の移動局は、移動局と、第一及び第二の基地局と、基地局制御装置とを含み、前記第一及び第二の基地局の各々は前記移動局と第一及び第二の周波数を用いてそれぞれ回線を設定して通信を行い、前記移動局は、前記第一の基地局と回線を設定して通信を行っている間に、前記第一の周波数の第一の受信品質を測定し、前記第一の受信品質に応じて前記第二の周波数の第二の受信品質を測定し、前記第二の受信品質に応じて前記第二の基地局に回線を切替えて通信を行うようにしたセルラシステムにおける移動局であつて、移動に応じて前記第二の受信品質の測定条件を変えるよう制御する制御手段を含むことを特徴とする。
【００３８】
【発明の実施の形態】
以下に本発明の実施形態につき図面を参照しつつ説明する。従来技術で説明した図８〜１１は、本発明の各実施形態に対しても適用されるものであり、図１１は、同一サービスエリア内で２つのキャリア周波数を使用した場合におけるセルラシステムの構成図を示す。また、図９は、上り回線及び下り回線におけるキャリア周波数配置図を示す。図１１において、移動局３０は基地局１０、１１、２０と回線を接続することができる。移動局３０が、基地局１０、２０との回線で使用するキャリア周波数は、図９において、上り回線及び下り回線で、キャリア周波数１０１、キャリア周波数１０３を各々使用するものとする。
【００３９】
同様に、図１１において、移動局３０が基地局１１との回線で使用するキャリア周波数は、図９において、上り回線及び下り回線で、キャリア周波数１０２、キャリア周波数１０４を各々使用するものとする。また、移動局３０が通信中に基地局１０、２０と接続するか、あるいは基地局１１と接続するかの判断制御、および接続を行う異周波数切替え制御は基地局制御装置６０において制御される。
【００４０】
基地局１０及び基地局２０は各々マクロセル（セル８５）、マクロセル（セル８７）に属し、基地局１１はマイクロセル（セル８６）に属する。なお、マイクロセルは複数用いてセルラを構成してもよい。また、上り回線及び下り回線では、送信電力制御が適用されている。移動局３０における異周波数測定は、拡散率を下げる方法、または符号化されたデータの一部を送信しないことにより符号化率を上げる方法によって、下り回線の送信データを時間的に圧縮することで、データの空き時間を作成し、このデータの空き時間を利用して測定される。
【００４１】
図１、図２、図３は本発明の第一の実施形態における基地局制御装置、基地局、移動局の構成を示す図である。図１を参照すると、基地局制御装置６００は、１つまたは複数の基地局からの信号を受信する入力端子６０１と、受信信号を処理する受信処理部６０２、移動局、または基地局からの制御信号に基づいて制御を行う制御部６０３と、送信処理部６０４と、１つまたは複数の基地局へ信号を送信する出力端子６０５と、制御部６０３からの制御信号を受け異周波数測定及び異周波切替えの判断を行う異周波数切替え制御部６０６とから構成される。
【００４２】
制御部６０３は、移動局と基地局間の回線設定に関する制御を行い、また移動局あるいは基地局から送信される移動局の速度情報を受信する。異周波数切替え制御部６０６は、移動局から異周波数測定及び異周波数切替え制御に対する要求の制御信号を受け、移動局と回線接続状態にある基地局に対して、異周波数測定、個別チャネルのデータ空き時間の作成及び周波数切替えの制御信号を送信する。
【００４３】
また、異周波数切替え制御部６０６は制御部６０３より移動局のキャリア周波数の受信品質の情報を受け、その情報に応じて異周波数切替えの判断を行い、また基地局の送信電力の測定に関する制御信号を受信し、異周波数測定切替えの判断を行う。また、異周波数切替え制御部６０６は、制御部６０３より通知される移動局の移動速度情報を用いて、異周波数切替え制御の判断を行う。
【００４４】
図２を参照すると、基地局７００は、１つまたは複数の移動局に対して信号を送受信するアンテナ７０１と、送信信号及び受信信号を高周波処理する送受信共用器７０２と、信号の受信処理を行う受信処理部７０３と、基値局制御装置６００からから送信される制御信号を受信する入力端子７１１からの情報を用いて制御を行う制御部７０４と、制御部７０４での制御情報を基地局制御装置６００へ送信する出力端子７１０と、受信データを出力する出力端子７０５と、送信データを受信する入力端子７０６と、送信データと制御信号を合成するマルチプレクサ（ＭＵＸ）７０７と、送信データ処理を行う送信処理部７０８とからなる。
【００４５】
送受信共用器７０２は制御部７０４から周波数切替えの制御信号を受け、送信あるいは受信で使用する周波数切替え等を行う。制御部７０４は受信処理部７０３より受信品質を測定し、移動局に対して送信電力制御を行い、また基地局制御装置６００から受信する制御信号に基づいて、基地局の送受信制御を行う。更に、制御部７０４は基地局制御装置６００から異周波数切替えの制御信号を受信し、送信あるいは受信で使用する周波数の切替えの制御信号を送受信共用器７０２に送信する。また、制御部７０４は基地局制御装置６００から異周波数切替えの制御信号を受信し、個別チャネルのデータ空き時間を作成するための制御信号を送受信共用器７０２に送信する。
【００４６】
図３を参照すると、移動局８００は、１つまたは複数の基地局に対して信号を送受信するアンテナ８０１と、送信信号及び受信信号を高周波処理する送受信共用器８０２と、信号の受信処理を行う受信処理部８０３と、送信データを出力する出力端子８０５と、受信処理部８０３からの制御信号に基づいて制御を行う制御部８０４と、送信データを受信する入力端子８０６と、制御部８０４から送信される制御信号及び入力端子８０６から入力される送信データを合成するマルチプレクサ（ＭＵＸ）８０７と、送信データ処理を行う送信処理部８０８とからなる。
【００４７】
制御部８０４は受信処理部８０３より基地局７００から送信される止まり木チャネルを周期的に測定し、測定結果に関する情報を基地局制御装置６００に送信するための処理を行い、また受信処理部８０３より受信品質を測定し、１つまたは複数の基地局に対して送信電力制御信号を生成し、更に、１つまたは複数の基地局より受信した制御情報から送信電力制御を行う。また、制御部８０４は移動局の速度を検出する機能を持ち、その速度情報を基地局制御装置６００に対して送信する。
【００４８】
本発明の第一の実施形態の根幹をなす動作は、基地局制御装置６００の異周波数切替え制御部６０６で行われる。図４に本発明の第一の実施形態における異周波数切替え制御部６０６の動作を示すフローチャートを示す。図４を参照すると、ステップ１５０は、周波数切替え制御部６０６における異周波数切替え制御の開始時点を示す。ステップ１５１で、異周波数切替え制御の初期状態として異周波数測定停止を示すフラグを０（Ｆｌａｇ＝０）にする。なお、異周波数測定開始のフラグは１（Ｆｌａｇ＝１）とする。
【００４９】
また、ステップ１５２で、個々の移動局に対する速度の測定結果（Ｖｅｌｏ　）を受信し、ステップ１５３で、移動局の速度の測定結果（Ｖｅｌｏ　）に応じた式（２）の判定閾値Ｔｈ＿ＨＯ　の値の変更を行う。なお、ステップ１５２における移動局の速度の検出は、ソフトハンドオーバ頻度や、受信品質変動等によって検出する。移動局の速度の検出は、例えば、対象とする移動局のソフトハンドオーバ頻度が高い場合、あるいは受信品質変動の頻度が高い場合、その移動局は高速で移動していると判断することができる。一方で、対象とする移動局のソフトハンドオーバ頻度が低い場合、あるいは受信品質変動の頻度が低い場合、その移動局は低速で移動していると判断することができる。
【００５０】
ステップ１５３におけるＴｈ＿ＨＯ　の変更は、具体的には、以下の２つのケースの何れかを選択して変更する。第一のケースとして、移動局がマクロセルに接続している場合を説明する。
【００５１】
この第一のケースである、移動局がマクロセルに接続している場合において、ステップ１５２における移動局の速度（Ｖｅｌｏ　）が速い場合は、式（２）における判定閾値Ｔｈ＿ＨＯ　の値を高く設定し、移動局の速度（Ｖｅｌｏ　）が遅い場合は、式（２）における判定閾値Ｔｈ＿ＨＯ　の値を低く設定する。
【００５２】
第二のケースのケースとして、移動局がマイクロセルに接続している場合を説明する。この第二のケースである、移動局がマイクロセルに接続している場合において、ステップ１５２における移動局の速度（Ｖｅｌｏ　）が速い場合は、式（２）における判定閾値Ｔｈ＿ＨＯ　の値を低く設定し、移動局の速度（Ｖｅｌｏ　）が遅い場合は、式（２）における判定閾値Ｔｈ＿ＨＯ　の値を高く設定する。
【００５３】
ステップ１５３の後、ステップ１５４におけるフラグ（Ｆｌａｇ）判定により、異周波数測定開始／停止の状態判定する。ステップ１５４におけるフラグ（Ｆｌａｇ）が１ではない場合、ステップ１５５で、現在使用中のキャリア周波数の受信品質の測定結果を用いて、異周波数測定の開始条件を示す条件式（４）を満足するか否かの判定を行う。ステップ１５５において条件式（４）を満足しない場合、ステップ１５２に戻る。ステップ１５５において条件式（４）を満足した場合、ステップ１５６において、異周波数測定開始を示すフラグを１（Ｆｌａｇ＝１）にする。その後、ステップ１５７において、異周波数切替え先のキャリア周波数の受信品質の測定を行うよう、移動局へ指示する。
【００５４】
一方、ステップ１５４において、Ｆｌａｇ＝１の場合、ステップ１５７において、異周波数切替え先のキャリア周波数の受信品質の測定を行うよう、移動局に対して指示する。ステップ１５７の後、ステップ１５８で条件式（２）を満足するか否かの判定を行う。ステップ１５８の条件判定を満足しない場合、ステップ１５９において式（５）に対する条件判定を行う。ステップ１５８における条件判定を満足した場合、異周波数測定（異周波数切替え先のキャリア周波数の受信品質測定）を停止するよう、移動局へ指示し（ステップ１６０）、その後、ステップ１５１に戻る。
【００５５】
一方で、ステップ１５９の条件判定を満足しない場合、ステップ１５２に帰還する。ステップ１５８における条件判定を満足した場合、異周波数測定（異周波数切替え先のキャリア周波数の受信品質測定）を停止するよう、移動局へ指示し（ステップ１６１）、その後、異周波数切替え制御を開始する（ステップ１７０）。
【００５６】
本発明の第一の実施形態では、図４のステップ１５３に示すように、移動局の速度及びマクロセル／マイクロセルの接続状態に応じて、式（２）における判定閾値Ｔｈ＿ＨＯ　を変更する点に特徴を持つ。移動局がマクロセルに接続している場合において、ステップ１５２における移動局の速度が速い場合は、式（２）における判定閾値Ｔｈ＿ＨＯ　の値を高く設定することで異周波数切替えの発生確率を下げ、マイクロセルに接続しにくくなり、移動局の速度が遅い場合は、式（２）における判定閾値Ｔｈ＿ＨＯ　の値を低く設定することで、異周波数切替えの発生確率を高くし、マイクロセルに接続しやすくする。
【００５７】
一方で、移動局がマイクロセルに接続している場合において、ステップ１５２における移動局の速度が速い場合は、式（２）における判定閾値Ｔｈ＿ＨＯ　の値を低く設定することで異周波数切替えの発生確率を高くし、マクロセルに接続しやすくし、移動局の速度が遅い場合は、式（２）における判定閾値Ｔｈ＿ＨＯ　の値を高く設定することで、異周波数切替えの発生確率を低くし、マクロセルに接続しにくくする。従って、高速の移動局はマクロセルに接続しやすく、低速の移動局はマイクロセルに接続しやすくなる。
【００５８】
次に、本発明の第二の実施形態の説明を行う。従来技術で説明した図８〜１１は、本実施形態に対しても適用されるものであり、また本発明の第二の実施形態における基地局制御装置、基地局、移動局の構成は、図１〜図３に示した構成がそのまま適用される。
【００５９】
本発明の第二の実施形態の根幹をなす動作は、異周波数切替え制御部６０６で行われるものであり、その動作フローチャートが図５に示されている。以下、図５を用いて、異周波数切替え制御部６０６内の制御における動作を示す。
【００６０】
図５において、ステップ２５０は周波数切替え制御部６０６における、異周波数切替え制御の開始時点を示す。ステップ２５１で、異周波数切替え制御の初期状態として異周波数測定停止を示すフラグを０（Ｆｌａｇ＝０）にする。なお、異周波数測定開始のフラグは１（Ｆｌａｇ＝１）とする。また、ステップ２５２で、個々の移動局に対する速度の測定結果（Ｖｅｌｏ　）を受信し、ステップ２５３で、移動局の速度の測定結果（Ｖｅｌｏ　）に応じて、式（４）及び式（５）の判定閾値Ｔｈ＿Ｓｔａｒｔ、Ｔｈ＿Ｅｎｄの値の変更を行う。
【００６１】
なお、ステップ２５２における移動局の速度の検出は、ソフトハンドオーバ頻度や、受信品質変動等によって検出する。移動局の速度の検出は、例えば、対象とする移動局のソフトハンドオーバ頻度が高い場合、あるいは受信品質変動の頻度が高い場合、その移動局は高速で移動していると判断することができる。一方で、対象とする移動局のソフトハンドオーバ頻度が低い場合、あるいは受信品質変動の頻度が低い場合、その移動局は低速で移動していると判断することができる。
【００６２】
ステップ２５３における、Ｔｈ＿Ｓｔａｒｔ及びＴｈ＿Ｅｎｄの変更は、具体的には、以下の２つのケースの何れかを選択して変更する。第一のケースである、移動局がマクロセルに接続している場合において、ステップ２５２における移動局の速度（Ｖｅｌｏ）が速い場合は、式（４）における判定閾値Ｔｈ＿Ｓｔａｒｔの値を低く設定し、移動局の速度が遅い場合は、式（４）における判定閾値Ｔｈ＿Ｓｔａｒｔの値を高く設定する。
【００６３】
次に第二のケース２である、移動局がマイクロセルに接続している場合において、ステップ２５２における移動局の速度が速い場合は、式（４）における判定閾値Ｔｈ＿Ｓｔａｒｔの値を高く設定し、移動局の速度が遅い場合は、式（４）における判定閾値Ｔｈ＿Ｓｔａｒｔの値を低く設定する。なお、上記変更した式（４）の判定閾値Ｔｈ＿Ｓｔａｒｔに対する式（５）の判定閾値Ｔｈ＿Ｅｎｄは、式（６）の条件を満足するように設定する。
【００６４】
ステップ２５３の後、ステップ２５４におけるフラグ（Ｆｌａｇ）判定により、異周波数測定開始／停止の状態判定する。ステップ２５４におけるフラグ（Ｆｌａｇ）が１ではない場合、ステップ２５５で、現在使用中のキャリア周波数の受信品質の測定結果を用いて、異周波数測定の開始条件を示す条件式（４）を満足するか否かの判定を行う。ステップ２５５において条件式（４）を満足しない場合、ステップ２５２に戻る。ステップ２５５において条件式（４）を満足した場合、ステップ２５６において、異周波数測定開始を示すフラグを１（Ｆｌａｇ＝１）にする。その後、ステップ２５７において、異周波数切替え先のキャリア周波数の受信品質の測定を行うよう、移動局へ指示する。
【００６５】
一方、ステップ２５４において、Ｆｌａｇ＝１の場合、ステップ２５７において、異周波数切替え先のキャリア周波数の受信品質の測定を行うよう、移動局へ指示する。ステップ２５７の後、ステップ２５８で条件式（２）を満足するか否かの判定を行う。ステップ２５８の条件判定を満足しない場合、ステップ２５９において式（５）に対する条件判定を行う。ステップ２５８における条件判定を満足した場合、異周波数測定（異周波数切替え先のキャリア周波数の受信品質測定）を停止するよう、移動局へ指示し（ステップ２６０）、その後、ステップ２５１に戻る。
【００６６】
一方で、ステップ２５９の条件判定を満足しない場合、ステップ２５２に戻る。ステップ２５８における条件判定を満足した場合、異周波数測定（異周波数切替え先のキャリア周波数の受信品質測定）を停止するよう、移動局へ指示し（ステップ２６１）、その後、異周波数切替え制御を開始する（ステップ２７０）。
【００６７】
本発明の第二の実施形態では、図５のステップ２５３に示すように、移動局の速度及びマクロセル／マイクロセルの接続状態に応じて、式（４）及び式（５）における判定閾値Ｔｈ＿Ｓｔａｒｔ、Ｔｈ＿Ｅｎｄを変更する点に特徴を持つ。移動局がマクロセルに接続している場合において、ステップ２５２における移動局の速度が速い場合は、式（４）における判定閾値Ｔｈ＿Ｓｔａｒｔの値を低く設定することで異周波数切替えの発生確率を下げ、マイクロセルに接続しにくくなり、移動局の速度が遅い場合は、式（４）における判定閾値Ｔｈ＿Ｓｔａｒｔの値を高く設定することで、異周波数切替えの発生確率を高くし、マイクロセルに接続しやすくする。
【００６８】
一方で、移動局がマイクロセルに接続している場合において、ステップ２５２における移動局の速度が速い場合は、式（４）における判定閾値Ｔｈ＿Ｓｔａｒｔの値を高く設定設定することで異周波数切替えの発生確率を高くし、マクロセルに接続しやすくし、移動局の速度が遅い場合は、式（４）における判定閾値Ｔｈ＿Ｓｔａｒｔの値を低く設定することで、異周波数切替えの発生確率を低くし、マクロセルに接続しにくくする。従って、高速の移動局はマクロセルに接続しやすく、低速の移動局はマイクロセルに接続しやすくなる。
【００６９】
以下に、本発明の第三の実施形態の説明を行う。従来技術で説明した図８〜１１は、本発明の第三の実施形態に対しても適用されるものである。図１１において、移動局３０は、基地局１０、１１、２０と回線を接続することができる。移動局３０が基地局１０、２０との回線で使用するキャリア周波数は、図９において、上り回線及び下り回線で、キャリア周波数１０１、キャリア周波数１０３を各々使用するものとする。同様に、図１１において、移動局３０が基地局１１との回線で使用するキャリア周波数は、図９において、上り回線及び下り回線で、キャリア周波数１０２、キャリア周波数１０４を各々使用するものとする。
【００７０】
また、移動局３０が通信中に基地局１０、２０と接続するか、あるいは基地局１１と接続するかの判断制御、および接続を行う異周波数切替え制御は移動局３０において制御される。基地局１０及び基地局２０は、各々マクロセル（セル８５）、マクロセル（セル８７）に属し、基地局１１はマイクロセル（セル８６）に属する。なお、マイクロセルは複数用いてセルラを構成してもよい。また、上り回線及び下り回線では送信電力制御が適用されている。
【００７１】
移動局３０における異周波数測定は、拡散率を下げる方法、または符号化されたデータの一部を送信しないことにより符号化率を上げる方法によって、下り回線の送信データを時間的に圧縮することで、データの空き時間を作成し、このデータの空き時間を利用して測定される。
【００７２】
図６及び図７は本発明の第三の実施形態における基地局制御装置、移動局の構成図をそれぞれ示す図である。図１及び図３と対応する部分に関しては、同一番号を付して、重複する説明は省略する。また、本実施の形態に使用されるセルラシステムは図１１と同じである。また、本発明の実施の形態に使用される基地局は、図２に示した構成と同じである。
【００７３】
図６を参照すると、基地局制御装置６３０は、１つまたは複数の基地局からの信号を受信する入力端子６０１と、受信信号を処理する受信処理部６０２と、移動局または基地局からの制御信号に基づいて制御を行う制御部６３１と、送信処理部６０４と、１つまたは複数の基地局へ信号を送信する出力端子６０５とから構成される。
【００７４】
制御部６３１は移動局と基地局間の回線設定に関する制御を行い、また移動局から異周波数切替え制御に対する要求の制御信号を受け、移動局と回線接続状態にある基地局に対して、周波数切替えの制御を行う。更に、制御部６３１は移動局からの異周波数切替え制御に対する要求の制御信号を受け、移動局と回線接続状態にある基地局に対して、個別チャネルのデータ空き時間作成の制御を行う。更に、制御部６３１は移動局の速度を検出する機能を持ち、その速度情報を移動局に対して送信する。
【００７５】
図７を参照すると、移動局８３０は、１つまたは複数の基地局に対して信号を送受信するアンテナ８０１と、送信信号及び受信信号を高周波処理する送受信共用器８０２と、信号の受信処理を行う受信処理部８０３と、送信データを出力する出力端子８０５と、受信処理部８０３からの制御信号に基づいて制御を行う制御部８０４と、送信データを受信する入力端子８０６と、制御部８０４から送信される制御信号及び入力端子８０６から入力される送信データを合成するマルチプレクサ（ＭＵＸ）８０７と、送信データ処理を行う送信処理部８０８と、異周波数切替え制御部８３１とからなる。
【００７６】
制御部８０４は受信処理部８０４より基地局７００から送信される止まり木チャネルを周期的に測定し、測定結果に関する情報を基地局制御装置６３０に送信するための処理を行いまた、受信処理部８０３より受信品質を測定し、１つまたは複数の基地局に対して送信電力制御信号を生成する。更に、制御部８０４は１つまたは複数の基地局より受信した制御情報から送信電力制御を行い、また移動局の速度を検出する機能を持ち、その速度情報を異周波数切替え制御部８３１に対して送信する。
【００７７】
異周波数切替え制御部８３１は、基地局７００から送信される止まり木チャネルを周期的に測定し、その測定結果より、異周波数切替え及び異周波数測定制御の判断を行う。また、異周波数切替え制御部８３１は基地局制御装置あるいは制御部８０４より送信される移動局の速度情報を受信し、その測定情報より、異周波数切替え及び異周波数測定制御で使用する判定閾値の変更を行う。
【００７８】
本発明の第三の実施形態の根幹をなす動作は、異周波数切替え制御部８３１で行われる。第三の実施形態と第一の実施形態との差異は、異周波数切替え制御の判定を、基地局制御装置６００内の異周波数切替え制御部６０６で行うか、移動局８３０内の異周波数切替え制御部８３１で行うかの違いのみであり、異周波数切替え制御部６０６動作は、図４のフローチャートにしたがって行われることになる。
【００７９】
こうすることにより、この第三の実施形態における作用も、先の第一の実施形態における作用と同等であることは明白である。
【００８０】
以下に、本発明の第四の実施形態の説明を行う。従来技術で説明した図８〜図１１は、本発明の第四の実施形態にも同様に適用される。図６、図２、図７は本発明の第四の実施形態における基地局制御装置、基地局、移動局の構成をそれぞれ示すものである。なお、この第四の実施形態の構成は、本発明の第三の実施形態と同等である。
【００８１】
本発明の第四の実施形態の根幹をなす動作は、移動局８３０の異周波数切替え制御部８３１で行われる。第四の実施形態と第二の実施形態との差異は、異周波数切替え制御の判定を基地局制御装置６００内の異周波数切替え制御部６０６で行うか、移動局８３０内の異周波数切替え制御部８３１で行うかの違いのみであり、その動作は図５に示したフローチャートにしたがって行われることになるのである。
【００８２】
こうすることにより、本発明の第四の実施形態における作用は、本発明の第二の実施形態における作用と同等であることは明白である。
【００８３】
【発明の効果】
本発明の効果について説明する。先述したように、本発明の第一の実施形態においては、移動局の速度に応じて、異周波数切替えで使用する判定閾値の変更を行うようにしたので、マイクロセルに接続中の移動局の移動速度が高くなると、マクロセルへの異周波数切替えの発生確率が高くなるため、移動局がマイクロセルのエリア外に出る事象の確率が低くなり、回線遮断率が低減する効果がある。また、複数のマイクロセルでシステムを構成している場合、マイクロセルに接続中の移動局の速度が高くなると、マクロセルに切替える確率が高くなるため、マイクロセル間で頻繁にハンドオーバを行うことが少なく、制御負荷が減少する効果がある。
【００８４】
一方で、本発明の第一の実施形態では、マクロセルに回線接続中の移動局の移動速度が低くなると、マイクロセルへの異周波数切替えの発生確率が高くなるため、マイクロセルに接続しやすくなる。ここで、マイクロセルは、マクロセルと比べて回線接続が可能なエリアが狭いため、ある一定の回線品質で通信を行う際に必要とする送信電力が小さくてすむことから、マクロセルセルからマイクロセルに接続することで移動局の送信電力を低減させ、移動局の低消費電力効果が得られる。また、マイクロセルに接続することで移動局の送信電力が減少するため、他の移動局に対する干渉電力を低減させ、回線遮断率が低減する効果が生ずる。
【００８５】
本発明の第２の実施形態においては、移動局の速度に応じて、異周波数切替えで使用する判定閾値の変更を行うようにしたので、マイクロセルに接続中の移動局の移動速度が高くなると、マクロセルへの異周波数切替えの発生確率が高くなるため、移動局がマイクロセルのエリア外に出る事象の確率が低くなり、回線遮断率が低減する効果がある。また、複数のマイクロセルでシステムを構成している場合、マイクロセルに接続中の移動局の速度が高くなると、マイクロセルに切替える確率が高くなるため、マイクロセル間で頻繁にハンドオーバを行うことが少なく、制御負荷が減少する効果がある。
【００８６】
一方で、マクロセルに回線接続中の移動局の移動速度が低くなると、マイクロセルへの異周波数切替えの発生確率が高くなるため、マイクロセルに接続しやすくなる。ここで、マイクロセルは、マクロセルと比べて回線接続が可能なエリアが狭いため、ある一定の回線品質で通信を行う際に必要とする送信電力が小さくてすむことから、マクロセルセルからマイクロセルに接続することで移動局の送信電力を低減させ、移動局の低消費電力効果が得られる。また、マイクロセルに接続することで移動局の送信電力が減少するため、他の移動局に対する干渉電力を低減させ、回線遮断率が低減する効果が生ずる。
【００８７】
本発明の第三の実施形態における発明の効果は、本発明の第一の実施形態における発明の効果と同等であり、また本発明の第四の実施形態における発明の効果は、本発明の第二の実施形態における発明の効果と同等である。
【図面の簡単な説明】
【図１】本発明の第一及び第二の実施形態による基地局制御装置の構成を示すブロック図である。
【図２】本発明の第一〜第四の実施形態による基地局の構成を示すブロック図である。
【図３】本発明の第一及び第二の実施形態による移動局の構成を示すブロック図である。
【図４】本発明の第一及び第三の実施形態による基地局制御装置の動作を示すフローチャートである。
【図５】本発明の第二及び第四の実施形態による移動局の動作を示すフローチャートである。
【図６】本発明の第三及び第四の実施形態による基地局制御装置の構成を示すブロック図である。
【図７】本発明の第三及び第四の実施形態による移動局の構成を示すブロック図である。
【図８】符号分割多重接続方式を用いたセルラシステムの構成を示す図である。
【図９】図８の符号分割多重接続方式を用いたセルラシステムにおけるキャリア配列を説明するための図である。
【図１０】受信品質の時間変化の波形を示す図である。
【図１１】符号分割多重接続方式を用いたセルラシステムの一例を示す図である。
【符号の説明】
４０、４１　止まり木チャネル
５０、５１　下り回線個別チャネル
７０、７１　上り回線個別チャネル
８５〜８７　セル
１０１〜１０４　キャリア周波数
６００、６３０　基地局制御装置
７００　基地局
８００、８３０　移動局
６０１、７０６、７１１、８０６　入力端子
６０５、７０５、７１０、８０５　出力端子
６０２、７０３、８０３　受信処理部
６０４、７０８、８０８　送信処理部
６０３、６３１、７０４、８０４　制御部
７０１、８０１　送受信アンテナ
７０２、８０２　送受信共用器
７０７、８０７　マルチプレクサ
６０６、８３１　異周波数切替え制御部
【図１】
2004048528.tif 000003
【図２】
2004048528.tif 000004
【図３】
2004048528.tif 000005
【図４】
2004048528.tif 000006
【図５】
2004048528.tif 000007
【図６】
2004048528.tif 000008
【図７】
2004048528.tif 000009
【図８】
2004048528.tif 000010
【図９】
2004048528.tif 000011
【図１０】
2004048528.tif 000012
【図１１】
2004048528.tif 000013